(57)【要約】【課題】排水口周りの表面材の端部の処理を容易化しつつ美観を向上させた浴室用洗い場床を提供する。【解決手段】基材１１と、前記基材の浴室表面側に積層された表面材１２と、を備え、前記基材は、洗い場床部１１ｆと、前記洗い場床部よりも低い位置に凹状に形成され、排水トラップ１６が取り付けられる開口が形成された排水口部１１ｄと、を有し、前記表面材の前記排水口部の側の端部１２ａは、前記排水トラップが取り付けられた状態において、前記排水トラップによって覆い隠される位置に配置されることを特徴とする浴室用洗い場床が提供される。【選択図】図１
2010229791.tif 000002
【特許請求の範囲】
【請求項１】
基材と、
前記基材の浴室表面側に積層された表面材と、
を備え、
前記基材は、洗い場床部と、前記洗い場床部よりも低い位置に凹状に形成され、排水トラップが取り付けられる開口が形成された排水口部と、を有し、
前記表面材の前記排水口部側の端部は、前記排水トラップが取り付けられた状態において、前記排水トラップによって覆い隠される位置に配置されることを特徴とする浴室用洗い場床。
【請求項２】
前記表面材の前記排水口部の側の前記端部は、前記排水トラップの構成部品の１つである締付フランジの下部に配置されることを特徴とする請求項１記載の浴室用洗い場床。
【請求項３】
前記締付フランジの下面と当接する前記表面材の上面は、平面状に形成されることを特徴とする請求項２記載の浴室用洗い場床。
【請求項４】
前記排水トラップの構成部品の１つである封水筒の外周縁が、前記排水口部の立ち面と密接するように取り付けられ、
前記表面材の前記排水口部の側の端部は、前記封水筒によって覆い隠されることを特徴とする請求項１記載の浴室用洗い場床。
【請求項５】
前記表面材は、前記基材の前記洗い場床部及び前記排水口部の形状に沿う形状に形成されており、前記排水トラップを取り付けた状態において、前記基材の前記排水口部における前記端部の全てが前記排水トラップによって覆い隠されることを特徴とする請求項１〜４のいずれか１つに記載の浴室用洗い場床。
【発明の詳細な説明】
【技術分野】
【０００１】
本発明の態様は、一般的に、浴室用洗い場床に関する。
【背景技術】
【０００２】
例えば、浴室ユニットに用いられる洗い場床として、例えば基材と基材の上に設けられる表面材との積層構造を有するものがある。例えば、親水性や撥油性など、基材には無い特性を持たせた表面材を基材の上に設けることで、洗い場床の表面にこのような特性を付与できる。
【０００３】
また、例えば特許文献１（特許第４１７４７４０号公報）に記載されているように、基材と表面材（表面層）との間にクッション層を設け、クッション層で不足する基本性能（耐摩耗性、耐薬品性、耐傷性、耐候性、防水性など）を表面材に持たせることができ、基本性能を備えつつクッション性に富む洗い場床を実現できる。
【０００４】
この構成において、排水口周りに位置する表面材の端部は、洗い場側に露出している。このため、外観を損ねないように表面材の端部を高精度にコーキング処理する必要がある。また、排水口周りに位置する表面材の端部が使用者が触れる箇所になるため、耐摩耗性などの耐久性にも優れた高価なコーキング剤を用いることが必要であり、改善の余地がある。
【０００５】
また、洗い場床を積層構造とすることによって、例えば、リサイクルした基材の上に新しい表面材を貼り合わせて新品同様にすることができ、省資源になる。例えば特許文献２（特開２００６−６３５５４号公報）には、リフォーム用途のために、洗い場の床面に貼り付けるためのシートが提案されている。
【０００６】
この構成において、シートの端部の一部は、排水口の下側に配置させられているが、端部の他の部分は洗い場側に露出しており、上記と同様の課題がある。そして、排水口の下側に配置された端部の部分は、使用者が触れにくい箇所にはなるが、トラップカバーを外せば見えるので、他の部分ほどではないにしても精度よくコーキング処理する必要がある。
【０００７】
このように積層構造の洗い場床において、表面材の排水口周りの端部の処理を容易化し、そして美観を向上することが望まれている。
【先行技術文献】
【特許文献】
【０００８】
【特許文献１】特許第４１７４７４０号公報
【特許文献２】特開２００６−６３５５４号公報
【発明の概要】
【発明が解決しようとする課題】
【０００９】
本発明の態様は、排水口周りの表面材の端部の処理を容易化しつつ美観を向上させた浴室用洗い場床を提供する。
【課題を解決するための手段】
【００１０】
本発明の一態様によれば、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部の側の端部は、前記排水トラップが取り付けられた状態において、前記排水トラップによって覆い隠される位置に配置されることを特徴とする浴室用洗い場床が提供される。
【発明の効果】
【００１１】
本発明の態様によれば、排水口周りの表面材の端部の処理を容易化しつつ美観を向上させた浴室用洗い場床が提供される。
【図面の簡単な説明】
【００１２】
【図１】実施形態に係る浴室用洗い場床の要部を例示する模式的断面図である。
【図２】実施形態に係る浴室用洗い場床の概要を例示する模式的斜視図である。
【図３】実施形態に係る変形例の浴室用洗い場床を例示する模式的断面図である。
【図４】実施形態に係る別の変形例の浴室用洗い場床を例示する模式的断面図である。
【発明を実施するための形態】
【００１３】
第１の発明は、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部の側の端部は、前記排水トラップが取り付けられた状態において、前記排水トラップによって覆い隠される位置に配置されることを特徴とする浴室用洗い場床である。  
この浴室用洗い場床によれば、表面材の端部が覆い隠されるので、表面材の排水口部における端部処理が容易化でき、表面材と基材との継ぎ目が露出しないので意匠性に優れる。さらに、表面材の端部が使用者の目や手が届かない箇所になるため、安価なコーキング剤で処理しても意匠性や特性が損なわれることがない。
【００１４】
また、第２の発明は、第１の発明において、前記表面材の前記排水口部の側の前記端部は、前記排水トラップの構成部品の１つである締付フランジの下部に配置されることを特徴とする浴室用洗い場床である。  
この浴室用洗い場床によれば、表面材の排水口部の側の端部が、排水トラップの締付フランジによって覆い隠される。
【００１５】
また、第３の発明は、第２の発明において、前記締付フランジの下面と当接する前記表面材の上面は、平面状に形成されることを特徴とする浴室用洗い場床である。  
この浴室用洗い場床によれば、締付フランジと当接する部分に凹凸があった場合の止水の不十分さが解消され、止水性が向上できる。
【００１６】
また、第４の発明は、第１の発明において、前記排水トラップの構成部品の１つである封水筒の外周縁が、前記排水口部の立ち面と密接するように取り付けられ、前記表面材の前記排水口部の側の前記端部は、前記封水筒によって覆い隠されることを特徴とする浴室用洗い場床である。  
この浴室用洗い場床によれば、表面材の排水口部の側の端部が、排水トラップの封水筒によって覆い隠される。
【００１７】
また、第５の発明は、第１〜第４のいずれか１つの発明において、前記表面材は、前記基材の前記洗い場床部及び前記排水口部の形状と沿う形状に形成されており、前記排水トラップを取り付けた状態において、前記基材の前記排水口部における前記端部の全てが前記排水トラップによって覆い隠されることを特徴とする浴室用洗い場床である。  
この浴室用洗い場床によれば、排水口部において表面材と基材の排水口部の形状が合わせられ、基材と表面材とを積層する工程において、表面材の積層位置を位置決めすることが容易になる。
【００１８】
以下、本発明の実施の形態について図面を参照しつつ説明する。なお、各図面中、同様の構成要素には同一の符号を付して詳細な説明は適宜省略する。  
図１〜図４は、本発明の実施形態に係る浴室用洗い場床を例示する模式図である。  
すなわち、図１は、浴室用洗い場床の要部を例示する模式的断面図である。図２は、浴室用洗い場床の概要を例示する模式的斜視図である。図３は、変形例の浴室用洗い場床を例示する模式的断面図であり、図４は、別の変形例の浴室用洗い場床を例示する模式的断面図である。
【００１９】
まず、図２によって、本発明の実施形態の浴室用洗い場床の概要を説明する。  
図２に表したように、浴室用洗い場床１０は、基材１１と表面材１２とを備える。
【００２０】
基材１１は、洗い場床部１１ｆと排水口部１１ｄとを有する。排水口部１１ｄは、洗い場床部１１ｆよりも低い位置に凹状に形成され、底面に排水トラップが取り付けられる開口が形成された部分である。
【００２１】
表面材１２は、基材１１の浴室表面側に積層される。表面材１２は、床部１２ｆと垂下部１２ｄとを有する。床部１２ｆは、基材１１の洗い場床部１１ｆに積層される部分である。垂下部１２ｄは、床部１２ｆから下方に延在する部分であり、基材１１の排水口部１１ｄの内側において基材１１に積層される部分である。
【００２２】
このように、洗い場床１０は、基材１１と表面材１２との少なくとも２層以上の積層構造を有する。例えば、洗い場床１０は、基材１１と表面材１２との間に設けられたクッション層をさらに有しても良く、２層以上の構成を有していれば良い。
【００２３】
基材１１は、浴室外に湯水を漏出させない防水性、及び浴室壁パネル、天井パネル、風呂椅子、洗面器などの静荷重、使用者の動荷重を受けても撓んだり破損しない強度を有する硬質材料から形成される。基材１１は、例えば、ＦＲＰ（Fiber Reinforced Plastic）等の熱硬化性樹脂、あるいはポリプロピレン、ポリエチレン等の熱可塑性樹脂に補強を施したものから形成される。
【００２４】
表面材１２は、耐水性、耐薬品性、耐摩耗性、耐衝撃性など、洗い場床表面に要求される基本性能（耐久性）を満足する材料から形成されている。表面材１２には、例えば、ＦＲＰ、ＰＶＣ（塩化ビニル）、ポリプロピレン、ポリエチレン、ウレタン樹脂、ポリエステル樹脂、アクリル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが用いられる。但し、これらの材料は一例であって、その他、表面材１２の材料としては、浴室の一般的な使用に際し十分な耐久性を有するべく強靱な材料であれば良く、前述したものに限られない。なお、表面材１２には、例えば親水性や撥油性など、基材１１には無い特性を持たせることができる。
【００２５】
なお、基材１１と表面材１２との間にクッション層が設けられる場合には、クッション層には、弾性変形可能であり、例えばウレタン等の発泡体等を用いることができる。
【００２６】
以下では、洗い場床１０が基材１１と表面材１２との２層構造である場合として説明する。
【００２７】
なお、表面材１２は、例えば接着剤によって基材１１に貼り合わせられている。
【００２８】
図１（ａ）及び（ｂ）は、浴室用洗い場床１０に排水トラップが取り付けられた状態を例示する模式的断面図であり、図１（ｂ）は、図１（ａ）のＢ部の拡大図である。図１（ｃ）は、浴室用洗い場床１０に排水トラップが取り付けられる前の状態を例示している。
【００２９】
図１（ａ）〜（ｃ）に表したように、表面材１２の排水口部１１ｄの側の端部１２ｂは、排水口部１１ｄに取り付けられる排水トラップ１６が排水口部１１ｄに取り付けられた状態において、排水トラップ１６によって覆い隠される位置に配置される。
【００３０】
すなわち、図１（ｃ）に表したように、本具体例においては、基材１１の排水口部１１ｄの下端においては、環状の底部１１ｅが設けられており、この底部１１ｅの上に表面材１２が延在して積層されている。そして、表面材１２の端部１２ｂは、この底部１１ｅに積層された位置に配置されている。
【００３１】
図１（ａ）及び（ｂ）に表したように、排水口部１１ｄの下端においては、基材１１の底部１１ｅとその上に積層された表面材１２とが、環状のシールリング１６ｃに挟み込まれ、その部分が、排水トラップ１６の締付フランジ１６ｂによって締め付けられる。そして、締付フランジ１６ｂの上から、排水トラップ１６の封水筒１６ａの開口部が挿入される。
【００３２】
すなわち、本具体例においては、表面材１２の排水口部１１ｄの側の端部１２ｂは、排水トラップ１６の構成部品の１つである締付フランジ１６ｂの下部に配置される。
【００３３】
このような構造によって、排水口部１１ｄに排水トラップ１６が取り付けられた状態においては、表面材１２の排水口部１１ｄの側の端部１２ｂは、排水トラップ１６によって覆い隠される。
【００３４】
このため、表面材１２の排水口部１１ｄの側の端部１２ｂの端部処理が容易化できる。例えば、端部１２ｂの処理が粗くても良く、場合によっては処理をしなくても良い。
【００３５】
そして、表面材１２と基材１１との継ぎ目が露出しないので、意匠性に優れる。
【００３６】
さらに、表面材１２の端部１２ｂが、使用者の目や手が届かない箇所になるため、安価なコーキング剤で処理しても意匠性や特性が損なわれることがない。これにより、コストを低減することができる。
【００３７】
このように本実施形態に係る浴室用洗い場床１０によれば、排水口周りの表面材の端部の処理を容易化しつつ美観を向上させた浴室用洗い場床が提供できる。
【００３８】
また、この構成を採用することにより、基材１１が表面材１２で覆われるため、基材１１をコストダウンすることもできる。  
例えば、表面材１２の排水口部１１ｄの側の端部１２ｂが露出している場合には、その部分において、表面材１２の下の基材１１が使用者に見える。このため、目的とする色や光沢などの外観特性を基材１１に持たせて意匠性を高めるために、基材１１となる材料に顔料が混合され、また、基材１１に各種の表面処理等が施されることがある。このとき、本実施形態に係る構成を採用することによって、例えば上記の顔料の混合や各種の表面処理が省略でき、基材１１をコストダウンすることもできる。
【００３９】
なお、図１に例示したように、本具体例においては、締付フランジ１６ｂの下面と当接する表面材１２の上面は、平面状に形成される。もし、締付フランジ１６ｂと当接する部分の表面材１２に凹凸があると、凹部の止水が不十分となる。このとき、本具体例のように、締付フランジ１６ｂの下面と当接する表面材１２の上面を平面状にすることで、締付フランジ１６ｂにおける止水が十分に達成できる。  
なお、ここで、「平面状」とは、必ずしも厳密な平面である必要はなく、凹凸がなく、止水性を低下させないように実質的に平面であれば良い。
【００４０】
また、本具体例においては、表面材１２は、基材１１の洗い場床部１１ｆ及び排水口部１１ｄの形状に沿う形状に形成されており、浴室用洗い場床１０に排水トラップ１６を取り付けた状態において、基材１１の排水口部１１ｄの全面が表面材１２によって覆い隠される。
【００４１】
このような構成にすることで、排水口部１１ｄにおいて、表面材１２と基材１１の排水口部１１ｄの形状が合わせられ、例えば、基材１１と表面材１２とを積層する工程において、表面材１２の積層位置を位置決めすることが容易になる。
【００４２】
なお、図１に例示したように、本具体例においては、基材１１の浴槽の側には、洗い場床部１１ｆから上方に突出した土手部１３が設けられている。土手部１３は、洗い場側と浴槽側とを区切る。
【００４３】
そして、表面材１２は、浴槽の側の端において床部１２ｆから上方に立ち上がった、立ち上がり部１２ｓを有している。この立ち上がり部１２ｓは、表面材１２と基材１１とが積層されたときに、基材１１の土手部１３に沿うように形成されている。これにより、基材１１と表面材１２とを積層する工程において、表面材１２の基材１１に対する位置決め精度をさらに向上させることができる。
【００４４】
なお、浴室用洗い場床１０の製造方法において、例えば、排水口の開口が形成されていない状態の基材１１及び表面材１２を積層した後に、後加工で開口を一纏めに穿設して、基材１１の排水口部１１ｄと表面材１２の垂下部１２ｄとを一緒に形成することが望ましい。これにより、製造効率が向上すると供に、それぞれの開口が必ず合うため、部材の成形誤差を考慮する必要がなくなる。
【００４５】
また、表面材１２と基材１１とを積層したときに、これらにずれが生じ、隙間が発生する可能性がある。このときには、そのずれを吸収するために、例えば、基材１１の排水口部１１ｄの全体にコーキング剤を塗布しておき、その状態で上から表面材１２を積層する。寸法にずれがある場合は、隙間は接着剤で満たされることとなる。
【００４６】
なお、排水口部１１ｄに位置する表面材１２の垂下部１２ｆは、他の部分（例えば床部１２ｆなど）よりも薄肉とされ、ある程度の可撓性を有することがさらに好ましい。このようにすることで、排水口部１１ｄにおいて、基材１１と表面材１２とで形状誤差があった場合においても、多少の形状誤差であれば適応可能となり、実用的には問題がなくなる。
【００４７】
図３に表したように、実施形態に係る変形例の浴室用洗い場床１０ａにおいては、基材１１の排水口部１１ｄの底部１１ｅは、図１に例示した浴室用洗い場床１０に比べて、洗い場床部１１ｆから浅い位置に設けられている。この場合も、この底部１１ｅの上に表面材１２が延在して積層され、表面材１２の端部１２ｂは、この底部１１ｅに積層された部分に配置される。
【００４８】
そして、基材１１の底部１１ｅとその上に積層された表面材１２とが、環状のシールリング１６ｃに挟み込まれ、その部分が、排水トラップ１６の締付フランジ１６ｂによって締め付けられる。そして、締付フランジ１６ｂの内側に設けられた段差部１６ｇの上から、排水トラップ１６の封水筒１６ａの開口部が挿入される。
【００４９】
この場合も、表面材１２の排水口部１１ｄの側の端部１２ｂは、排水トラップ１６の構成部品の１つである締付フランジ１６ｂの下部に配置され、排水口部１１ｄに排水トラップ１６が取り付けられた状態において、表面材１２の排水口部１１ｄの側の端部１２ｂは、排水トラップ１６によって覆い隠される。
【００５０】
図４に表したように、実施形態に係る別の変形例の浴室用洗い場床１０ｂにおいては、基材１１の排水口部１１ｄは、漏斗状の形状を有している。この浴室用洗い場床１０ａにおいては、漏斗状の排水トラップ１６が用いられる。
【００５１】
すなわち、排水トラップ１６の封水筒１６ａの上部は、上方に拡開した漏斗状の形状を有している。そして、排水トラップ１６の締付フランジ１６ｂは、封水筒１６ａの上端よりも下方に配置されている。
【００５２】
そして、基材１１の排水口部１１ｄは、この漏斗状の封水筒１６ａの下側に延在する。この封水筒１６ａの下の排水口部１１ｄの部分の上に表面材１２が積層されている。そして、表面材１２において、床部１２ｆから下方に延在する垂下部１２ｄの端部１２ｂは、排水トラップ１６の一部である封水筒１６ａに覆われる。
【００５３】
すなわち、浴室用洗い場床１０ｂにおいては、排水トラップ１６の構成部品の１つである封水筒１６ａの外周縁が、基材１１の排水口部１１ｄの立ち面と密接するように取り付けられる。そして、表面材１２の排水口部１１ｄの側の端部１２ｂは、封水筒１６ａによって覆い隠される。
【００５４】
すなわち、排水トラップ１６が浴室用洗い場床１０ｂに取り付けられた状態において、表面材１２の排水口部１１ｄの側の端部１２ｂは、排水トラップ１６によって覆い隠される位置に配置される。
【００５５】
このような浴室用洗い場床１０ａ及び１０ｂにおいても、排水口周りの表面材の端部の処理を容易化しつつ美観を向上させた浴室用洗い場床が提供できる。このように、本実施形態に係る浴室用洗い場床は各種の変形が可能である。
【００５６】
なお、上記の浴室用洗い場床１０、１０ａ及び１０ｂにおいては、排水トラップ１６が取り付けられる取付部１１ｍが設けられる。取付部１１ｍは、排水トラップ１６が取り付けられる位置に対応して設けられた各種の凹凸や湾曲などを有する。この部分において、排水トラップ１６が浴室用洗い場床に取り付けられる。従って、表面材１２の排水口部１１ｄの側の端部１２ｂは、この取付部１１ｍよりも下方に配置することができる。これにより、端部１２ｂは、排水トラップ１６によって覆い隠される。
【００５７】
以上、具体例を参照しつつ、本発明の実施の形態について説明した。しかし、本発明は、これらの具体例に限定されるものではない。例えば、浴室用洗い場床を構成する、基材及び表面材などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００５８】
その他、本発明の実施の形態として上述した浴室用洗い場床を基にして、当業者が適宜設計変更して実施し得る全ての浴室用洗い場床も、本発明の要旨を包含する限り、本発明の範囲に属する。
【００５９】
その他、本発明の思想の範疇において、当業者であれば、各種の変更例及び修正例に想到し得るものであり、それら変更例及び修正例についても本発明の範囲に属するものと了解される。
【符号の説明】
【００６０】
１０、１０ａ、１０ｂ…洗い場床（浴室用洗い場床）、  １１…基材、  １１ｄ…排水口部、  １１ｅ…底部、  １１ｆ…洗い場床部、  １１ｍ…取付部、  １２…表面材、  １２ｂ…端部、  １２ｄ…垂下部、  １２ｆ…床部、  １２ｓ…立ち上がり部、  １３…土手部、  １６…排水トラップ、  １６ａ…封水筒、  １６ｂ…締付フランジ、  １６ｃ…シールリング、  １６ｇ…段差部
【図１】
2010229791.tif 000003
【図２】
2010229791.tif 000004
【図３】
2010229791.tif 000005
【図４】
2010229791.tif 000006